(57)【特許請求の範囲】
【請求項１】
天板と複数本の脚を備えた生徒用の机と座板と背もたれおよび複数本の脚を備えた生徒用の椅子とにより構成される生徒用の机・椅子装置において、前記椅子の後側の脚下端は、椅子を後ろ倒れ姿勢となるように持ち上げて机上に載せ付けた際に机の天板前縁に引っ掛けて椅子を固定可能なフックを備えていることを特徴とする生徒用の机・椅子装置。
【請求項２】
天板と複数本の脚を備えた生徒用の机と背もたれ付き受け枠と座板および複数本の脚を備えた生徒用の椅子とにより構成される生徒用の机・椅子装置において、前記机の天板前面には、逆様に転回した際の椅子の背もたれ付き受け枠を上から突っ込み可能な横長状の差し込み受具が設けられていることを特徴とする生徒用の机・椅子装置。
【発明の詳細な説明】
【技術分野】
【０００１】  本発明は、防護装置に関する。
【背景技術】
【０００２】  地震により家屋が倒壊した時には室内で就寝などしている人は圧死する危険がある。そうした圧死を防止するため各種防護装置が提案されている。
【発明の開示】
【発明が解決しようとする課題】
【０００３】  しかし、これまでの防護装置は、鉄骨製で重いため２階室内に設置することができずしかも重量化のため現場への搬送や搬入・設置に不便であった。
上記に鑑み、本発明は、２階室内でも設置可能な程の軽量化と搬送や搬入・設置が至便なるよう組立の容易化を図った防護装置を提供することにある。
【課題を解決するための手段】【課題を解決するための手段】
【０００４】
上記課題を解決するため、請求項１に記載の発明は、天板と複数本の脚を備えた生徒用の机と座板と背もたれおよび複数本の脚を備えた生徒用の椅子とにより構成される生徒用の机・椅子装置において、前記椅子の後側の脚下端は、椅子を後ろ倒れ姿勢となるように持ち上げて机上に載せ付けた際に机の天板前縁に引っ掛けて椅子を固定可能なフックを備えていることを特徴とする。
請求項２に記載の発明は、天板と複数本の脚を備えた生徒用の机と背もたれ付き受け枠と座板および複数本の脚を備えた生徒用の椅子とにより構成される生徒用の机・椅子装置において、前記机の天板前面には、逆様に転回した際の椅子の背もたれ付き受け枠を上から突っ込み可能な横長状の差し込み受具が設けられていることを特徴とする。
【発明の効果】
【０００５】  本発明によれば、和寝具やベッド型寝具などの寝具の周りを取り囲み地震による家屋倒壊時に室内での安全を確保するための防護装置であって、フレーム本体は分割式のＦＲＰ製で現場にて合体可能に構成されているので、２階室内でも設置可能な程の軽量化と搬送や搬入・設置が至便なるよう組立の容易化を図った防護装置を提供することができる。
【発明を実施するための最良の形態】
【０００６】  以下の各実施形態で説明する個々の提案例は他の実施形態にも適用されるものとする。【０００７】  図１ないし図３は地震による家屋倒壊時に室内での安全を確保するための防護装置に関するもので、特に、２階室内でも設置可能な程の軽量化と搬送や搬入・設置に至便なように組立の容易化を図ったものである。
すなわち、図１における２００，２００はフレーム本体で、それぞれがＦＲＰ一体成形品の一対のもので同一の構成とされ、同フレーム本体２００は、略四角形をした底板部２０１と、逆Ｌ字形をした側板部２０２と、門形をした端板部２０３と、略四角形をした天板部２０４とを有する。天板部２０４の一端には、左右の端板部２０３，２０３間をつなぐようにして図２に示す連結板部２０５がそれぞれ一体に形成されている。これら連結板部２０５は、図１および図２に示すように、互いに前後に合わさって止着具２０６…により連結される。図２の２０７は図１には示していない補強リブで、同リブ２０７は、図１における左右の方向を長手方向とし複数本設けられているが、同長手方向に直交する方向にもリブを設けてもよい（このことは他の実施形態でも同様に適用できる）。これらのリブは、図１における他の板部にも設けることができる。なお、２０８は側面開口、２０９は端面開口である。【０００８】  底板部２０１は、図３に示すように、合わされてその合わせ部上に接合板２１０を載せるとともに止着具２１１により互いに接合されている。こうしたフレーム本体２００は、ＦＲＰ製であるがその内部に強化ガラス繊維、炭素繊維、アラミド繊維、鉄やアルミ芯材（網状材を含む）を合成して強化樹脂とすることができる（このことは他の実施形態でも同様に適用できる）。同防護装置内には、図１に示すように、和寝具２１２やベッド型寝具をセットすることができる。【０００９】  尚、図１に示すように、防護装置の上回りには、金属あるいは樹脂（ＦＲＰや発泡樹脂を含む）、合成などのゴム質、木質等による上補強材２１３…を止着具により脱着自在に固定してもよい（このことは他の実施形態でも同様に適用できる）。【００１０】  また、図１の左下欄に示すように、洋風のベッド２１５を組み入れる場合、一方のフレーム本体２００に矢印のようにベッド２１５を差し入れてのち、残る他方のフレーム本体２００を矢印のように合わせてベッド２１５をフレーム本体２００内に収めるようにする。この場合、ベッド２１５は前・後立板２１６，２１６（一方のみでもよい）を通常より高くしておき。フレーム本体２００内で支え部材として機能するようにしてもよい。そして、フレーム本体２００と立板（広くは立フレームと称する）２１６とを止着具により連結してもよい。また、強化したベッド本体２１７とフレーム本体２００とを連結するようにしてもよい。さらに、前後の立板２１６，２１６間を連結してもよく、こうすると防護装置が二重構造となり、より強度の高い安全な防護装置を提供することができる（このことは他の実施形態でも同様に適用できる）。前記ベッド本体２１７や立板２１６などは木質や金属質、樹脂質などいずれの材質をも採用することができる。前記ベッド本体２１７は、洋風を構成する場合についてのもので、和式寝具に対してはこのベッド本体２１７は薄い板状のものとなる。前記防護装置（ＦＲＰ製のフレーム本体２００やその中の立板２１６などの構成部材）には、棚や収納ボックスなどの収納手段、化粧台や空調機器やＴＶなどの電気機器その他の所要備品を装備することができる（このことは他の実施形態でも同様に適用できる）。【００１１】  図４の実施形態は、同じくＦＲＰ製で前後２分割・合体型とした和式寝具対応型の防護装置で、ベッドを内装することも可能なもので、フレーム本体２２０，２２０が、前記よりも短く四辺形にした底板部２２１と、側板部２２２と、門型の端板部２２３と、天板部２２４とを有するとともに、上コーナー部２２５を強度上有利な丸形に形成したもので、底板部２２１同士の間には、中間底板部２２６を介して止着具２２７…により相互連結したものである。
尚、同図に示すように、フレーム本体２２０には、強化ガラス繊維や炭素繊維などを編成した補強芯材２２８を同時合成したり、あるいは仮想線で示すように、鉄やアルミ、樹脂などによる細芯筋材２２９を適宜形状に組み合わせたり網状にして一体成形可能とすることができる（このことは他の実施形態でも同様に適用できる）。
また、同図に仮想線で示すように、合体線２３０のように縦割り合体方式にしてもよい（このことは他の実施形態でも同様に適用できる）。この場合、左右２分割の他に３ないし４分割式にしてもよい。また、縦横（上からみると十字形）分割合体方式にしてもよい。【００１２】  図５は、前後２分割合体式のフレーム本体２３３であってその内部に棚２３４を装備したものである。
尚、同防護装置は、一側が出入り口２３５として比較的大きく開口してあるが、その対向する奥側の面はできるだけ強度を残すため開口面積を少なくした奥板部２３６として形成してある。只、圧迫感を少なくするため、丸窓２３７を数個設けることができる。その一方で、図１あるいは図４のようにフレーム本体を同一形態のものとする方式にしてその側面開口の奥側のもののみを他の閉止カバーで閉じるようにしてもよい（このことは他の実施形態でも同様に適用できる）。
また、フレーム本体は右上欄に示すように中央のフレーム本体ａとその前後の同一形態のフレーム本体ｂ、ｂとで３分割合体方式にしてもよい。【００１３】  図６は、同じく地震対策用の防護装置についてのもので、前後同一形態としたＦＲＰ製のフレーム本体２４０，２４０の底部を箱形にしてその内部に側方から収納ボックス２４１を出し入れ自在とするとともにその上面を床板部２４２として同床板部２４２の上に和式寝具を備えたりあるいはベッド本体を載せつけたりすることができるようにしたものである。２４３はＴＶ機器、２４４は棚を示す。なお、合体線２４５付近を補強するため、フレーム本体２４０には補強帯材２４６を付してもよい。【００１４】  図７は、地震あるいは土砂（山）崩れ、土石流などの災害に対する屋内設置型のシェルターについてのものである。２５０はシェルター本体で、全てＦＲＰ一体成形によるもので、底板部２５１、周板部２５２、天板部２５３を備え、避難出入り口２５４を適宜に１面あるいは２面（さらに３面や４面に設けてもよい）に形成してあるとともに、土石流などの衝撃に対して有効なようにリンクチェーンやロープなどによる飛び出し防止柵２５５を連結解除自在な形で上下複数段に掛け渡してある。この柵２５５は網状であってもよい。尚、同図に示すように、炭素繊維やガラス繊維などによる補強芯材２５６が一体成形されているが、鉄芯などの補強材を一体成形してもよい。また、シェルター本体２５０の内外には補強手段を適宜付すことができる。例えば、上記補強リブ２０７のようなものが適当である。【００１５】  図８は、地震あるいは土砂（山）崩れ、土石流などの災害に対する屋内設置型のシェルターについてのものである。フレーム本体２５８はＦＲＰ製の丸胴型で補強強化してなり、その一方に出入り口２５９を有するとともに底部には転倒防止のための脚部２６０を一体あるいは別体で備えている。【００１６】  図９および図１０は、地震で家屋が倒壊した際の室内での防護装置を示し、図９は図１０のＨ−Ｈ線断面図、図１０は図９の出入り口側からみた正面図を示している。
これまでの防護装置は、４本の支柱が１本ずつのパイプ製であったため強度的に満足させ得るには大きな径のものが必要であったが、本実施形態の場合には、アングル状断面で上へ向けて幅が広くなった金属板材による本体２６４とその４つのコーナーの溝側に溶接により組み合わせた矢板に似た形状の補強支柱２６５とにより構成したものである。本体２６４はいずれかの個所で相互溶接してつないでいる。本体２６４のプレス成形されたコーナー部分と前記補強支柱２６５とにより軽量でありながら強度の高い支柱が構成されているのが特徴である。また、本体２６４は、正面、その奥側面、左右側面からみるとアーチ状の開口をしており、この部分に沿って補強パイプ（中実ロッドでもよい）２６６を溶接一体化して全体を構成してある。そして、パイプ製の天枠２６７内に天板（図示省略）を張ってある一方、図９に示すように矩形枠状の底枠２６８を設けて前記本体２６４や補強支柱２６５および補強パイプ２６６などの基部を溶接固定してある。
尚、図１０に仮想線で示すように、４つのアングル状コーナー部分とその上端間を水平につなぐ連結板部分とでなる本体２６４′のように門型に形成してそうした門型を四方四面に一体化するとともに内縁部分に補強パイプ２６６′を溶接一体化して防護装置を構築してもよい。前記アングル状コーナー部分を１つの規格鋼材としそれに前記水平な連結板部分（フラットバー）を溶接一体化して作製することができる。この場合、門型であるので椅子の前部が入り、そのことからこの防護装置を食卓テーブルやＰＣ作業台や書斎机などの作業台等として用いてもよい。逆にいえば食卓などの台が本来の使用目的でそれが軽量でありながら強力な耐震構造になっているということである。食卓などとして使用する場合、図９に示すような底枠２６８の図でいう上下の枠部分が椅子の脚と干渉するのを避けるため、図９の右欄に示すように長手方向の端部枠のみの底枠２６８′あるいは同底枠２６８′に中央横つなぎ材（鋼鉄など金属製）２６９を結合して強化したものにしてもよい。底枠２６８′および中央横つなぎ材２６９の存在はフロアーにおける底抜けを防止するのに有効であり、より有効化するためその底面に緩衝材を付すこともできる。前記補強パイプ２６６′のまわりには避難するときに頭を打たないようにクッション・コムなどの緩衝材を付してもよい。食卓などとして使用する場合、上面は図９の底枠２６８のような枠構造としてその上に緩衝材を介してあるいは直接天板（金属板や木質板など）を配してもよい。【００１７】  図１１および図１２は、付加的な提案例を示すもので、３００は生徒用の机、３０１は同じく生徒用の椅子であり、机２００は、４本のパイプ製の脚３０２と脚３０２間をつなぐ連結杆３０３と収納棚３０４および上面の天板３０５を備える。椅子３０１は４本の脚３０７と座板３０８および背もたれ３０９とを備え、背もたれ３０９は背部の受け枠３１０に取り付けられている。【００１８】  机３００の上面と椅子３０１の座面には、吸着関係となるマグネット３１１が対応して配備され、地震が発生あるいは警報を受けたときは、椅子３０１を転回して仮想線のように座板３０８を天板３０５上に載せつけてマグネット３１１同士を吸着させて椅子３０１を机３００上に固定したあと机３００内にもぐり込むようにすれば地震発生時に机３００だけではなく上部に椅子３０１があることからより有効に護られることになる。尚、マグネットはベルクロで構成してもよい。【００１９】  図１２の例は、椅子３０１の後側の脚３０７下端に安全なようにフック３１３を付けておき、地震が発生した際には、椅子３０１を持ち上げてフック３１３を机３００の前縁に引っ掛けて固定するようにすれば同じく安全性が向上する。【００２０】  図１３の例は、机３００の上面前部に数個の孔３１５を明けておいてそこに椅子３０１の脚３０７を突っ込むようにして椅子３０１を机３００の上に防護のために立てるようにしたもので、仮想線のように机３００の前縁に差し込み受具３１６を備えておいてそこに脚３０７を突っ込むようにしてもよい。尚、差し込み受具３１６は右欄のように横長状のものにしてそこに受け枠３１０および背もたれ３０９を突っ込むようにして防護を図るようにし���もよい。【００１４】  図１４の例は、机３００に設けられた収納棚３０４内に相当する机３００の底面に５ないし８ｃｍ程度の高さとした通し枠３１８を取り付けておき、地震発生時には、図示のように後側の２本の脚３０７，３０７を差し込んでこじれにより椅子３０１が固定されるようにすることで同椅子３０１が補助的な防護手段となるようにしたものである。同様の方法として、同通し枠３１８内に受け枠３１０および背もたれ３０９を突っ込むことで椅子３０１を固定するようにしてもよい。仮想線で示すように収納棚３０４に通孔３１９を明けておいてそこに椅子３０１の脚３０７を通すようにしてもよい。【００１５】  図１４の例は、家屋３２２内に便器３２３や風呂釜３２４が設けられてその排水管３２５が地下に導かれたものにおいて、その排水管３２５の途中に逆止弁装置３２６を設けることにより洪水時に逆流による便器３２３などからの噴出しを防止することができるようにしたものを示す。【００１６】  逆止弁装置３２６は、右下欄に拡大して示すように、排水管３２５間に連結されたやや太径状の装置ボディ３２７の上流側排水管３２５に補助管３２８を接続してその先端を斜め切り状の開口とするとともに、同補助管３２８の一側に回転軸３２９を備え、この回転軸３２９周りに垂下状のバルブ板３３０を備えてある。回転軸３２９回りからは、アーム３３１を張り出すとともにその先端にフロート３３２を備えて前記バルブ板３３０とともに回転自在とする。３３３はアーム３３１を水平に止めるためのストッパである。【００１７】  仮想線矢印Ｚのように洪水に伴い逆流が発生すると、その水流と水圧によりフロート３３２が持ち上げられて右回りに回転し、それに伴いバルブ板３３０が補助管３２８の開口を水圧もあって密閉状に塞ぐようになって逆流をここで阻止する。
尚、同図に示すように、３３４はリリーフ弁で、逆流圧が一定以上になった時点で作動して排水する。【００１８】  図１６の例は、補助管３３６の下端開口を塞ぐ半円型のバルブ３３７を回転軸３３８周りに取り付けて通常時の排水に支障のない位置に待機するようにし、回転軸３３８周りからはアーム３３９を張り出してその先端にフロート３４０を備えて、逆流に伴いフロート３４０が浮上してバルブ３３７を補助管３３６の開口を塞ぐように構成してある。【００１９】  図１７の提案例は、杉や檜、松などの生長樹木４００…を次の工程で根元から切断して倒し、その生長樹木４００…を枝切りして幹４０１としてのち、その幹４０１を直角寸断個所４０２および斜め寸断個所４０３を交互に交えて寸断して一端が３０度の先鋭部４０４ａとされた杭４０４…を多数本作ってゆくようにする。
尚、樹皮を剥がしてもよいしそのままの姿でもよいが、いずれにしても防腐処理をしておく。また、寸断は、倒した山林においてその場で行うのでもよいし、一旦山林以外の処理場（河川敷や木材工場など）へ運んで行うようにしてもよい。【００２０】  こうして作った杭４０４…は、図１８に示すように、先鋭部４０４ａに少し大きな先鋭筒状をした金属製の食い込み鞘４０５を被冠固着してこれらを山崩れや土石流を発生するおそれのある面域に次々に打ち込んでゆく。
尚、これらの鞘付き杭４０４…は仮想線で示すように杭４０４上部回りに取り付けられた打撃受け盤４０６と杭４０４回りに沿って上下操作される打撃ウエイト４０７との組み合わせによって打ち込まれるが、打撃機により打ち込むようにしてもよく、図の左側に示すようなやや細い杭４０４にあっては振動式杭打ち機により打ち込んでもよい。
また、杭４０４間は連結材４０８で強固につなぐと杭全体が協同して山崩れなどを阻止する。
さらに、鞘４０５には、通孔を複数空けてもよい。
また、図１８に矢印４０４で示すように、垂直方向からでなく山林土壌面に直交するように打ち込んでもよい。【００２１】  図１８に同時に示すように、山林表面には降雨時の雨水を受け入れて横流しにする樋４０９を埋め込んで設けて崩れやすい山を護るようにしてもよい。
また、同時に示すように、山崩れや土石流を防止するため、内部水の抜きと土砂の崩れ防止の両機能を発揮する先鋭状杭４０４…を水平方向にあるいは下がり傾斜状に打ち込んで右図のように例えば、３本まとまった状態にしてもよい。これらの杭４０４…は、その間やまわりから排水が自在になされる。丸や角パイプでなる杭４１０を打ち込んで土砂の崩れを防止したりその中心孔から排水が促進されるようにしてもよい。【００２２】  図１９は、前記のように杭４０４が右側に示すように打ち込まれた状態でこれらの杭４０４を山（あるいは丘）の裏側に打ち込んだ牽き杭４１２との間に張ったワイヤーロープやリンクチェーンなどの牽き線条材４１３により食い止めるようにして山崩れや土石流の発生を食い止めたり軽減させるようにしたものである。【００２３】  図２０は、通常の山崩れなどの対策をしていない裏山や前記のように対策を施した裏山４１５が想定しない崩れを発生した場合にその裾先の家屋４１６を護るようにした提案例を示す。崩れ土砂が襲来する個所に、Ｕ字溝ブロック体４１７…や口型ブロック体・アーチカルバートなどを前後複数段に組み合わせ配備して杭４１８…で固定待機させたものである。前記ブロック体４１７は、その底一部を土中に埋め込めばその対抗安定性は向上する。
右下欄のように、溝内に土砂が入り込みやすくしかもその土砂力をがっちりと受け留めるように前傾姿勢にしてもよい。
同図のように杭４１８…は、側面からみて互いに立体交差する関係で打ち込んでもよい。尚、ブロック体４１７の前段階や同ブロック４１７の内面あるいはブロック体４１７の前後間のうちこれらの選択された個所（全ての個所を含む）には、緩衝材４１９…を配備しておけば、土石流や土砂崩れのエネルギーが衰弱化する。
前記杭４１８は、ワイヤやリンクチェーンなどの牽条材に代えてあるいは同牽条材とともに構成することができる。
また、前記Ｕ字溝ブロック体である場合には、その中に山形ガイドをセットしておけば土砂崩れがブロック体４１７の中に入ってきても左右に振り分けることができる。【００２４】  図２１は、同じく災害の１つである洪水時の車両浮上安全対策例を示すものである。
４２１は駐車あるいは停車状態にある普通乗用車である車両で、この車両４２１には、車体４２２の前後に車輪４２３が装備されている。車体４２２の内部には、フロントシート４２４とリアシート４２５が装備されている。フロントシート４２４は、座部ａと背もたれｂおよびヘッドレストｃを有し、リアシート４２５は、座部ｄと背もたれｅを備えている。【００２５】  洪水が発生するとそのままでは車両４２１内が浸水するため、この例では、外部あるいは内部の水位をセンサーで感知すると、前後の背もたれｂ、ｅ内に圧縮して格納しておいた膨張式浮き袋４２６，４２６がガスの発生により膨張し、水害でも車両４２１を浮かせて浸水を阻止する。
尚、浮き袋４２６は座部ａ、ｄに格納したり、フロントシート４２４の左右間のコンソールボックスに付帯装備してもよい。また、同浮き袋４２６は、座部ａ、ｄの底部のスペースを利用して格納してもよいし、複数のドア内空間に格納してもよい。さらに、トランクボックス内に格納してもよい。また、必要に応じて車体４２１の底外部に沿って平坦な格納庫を設けて膨張するようにしてもよい。【００２６】  図２２ないし図２４の提案例は、同じく水害に対する車両浮上安全対策例を示す。
４２８は車体、４２９は車輪で、４３０は駐車場を示し、駐車場４３０の各車輪４２９に対応する底側に矩形の凹み４３１を形成してあるとともに、これら凹み４３１にそれぞれ対応する底板４３２と上板４３３とを備え、これら底板４３２と上板４３３との間には、発泡スチロールなどの浮き体４３４を挟み込み、止着具４３５によりこれら全体を一体化してある。【００２７】  そして、図２２に示すように、前あるいは後一対の車輪４２９の下回り前後に対応するような山形のストッパ４３６を左右の底板４３２間に渡してある。駐車した車両は、待機固定したストッパ４３６間に車輪４２９が嵌り合う形で停止している。その状態で洪水を受けたとき、４個の浮き体４３４が浮力を発生して車体４２８を浮き上がらせる。
尚、浮き上がった車体が漂流しないように図４０のような一定寸法分のみ伸びるアンカー４３７を備えておいてもよい。
また、図２２および図２３に仮想線で示すように、前後の底板４３２間をつなぎ板４３８で結合しておいて同時浮上を可能にしてもよい。【００２８】  図２５（内部緩衝材を省略した状態の外観斜視図）および図２６（図２５の中段高さにおける横断面図）は、地震発生に伴う家屋倒壊時の避難用であることは勿論、さらに過激な土砂崩れや土石流などが発生した際の避難用としても機能し得るようにしたシェルターについての例を示す。【００２９】  ４４１は主柱で、金属製のアングル材であるが、丸や角パイプなどでもよい。この主柱４４１は外周に４本配備され、これらの上端および下端間は、同じくアングル材で平面四角枠に形成した上枠４４２、下枠４４３が一体化されるとともに、これら枠４４２，４４３内には十字形をした内連結材４４４が設けられている。前記主柱４４１の内側には、図９に示すような補強支柱２６５を溶接一体化してもよい。【００３０】  ４４５は横連結材で、主柱４４１の隣り合う間を水平にかつ上下複数段にわたって連結一体化するものである。この横連結材４４５はフラットバーであるが、他の種類の部材を使用することができる。
４４６は縦連結材で、上枠４４２と下枠４４３の間を横連結材４４５をも結合してむすんでいる。但し、前記横連結材４４５および縦連結材４４６は、３面のみに設けられており、図２５の左手前側、図２６の左側面には設けられていない。【００３１】  これらの左面には、ヒンジ４４８によるドア４４９が開閉自在に取り付けられている。このドア４４９は、外粋４５０の中に横連結材４５１と縦連結材４５２を一体化して内外の面板４５３を備えてなるもので、その他開閉ノブ４５４を備える。そして、同ドア４４９には、ドアとは別個に開閉可能な補助ドア４５５が外開き式に設けられている。この補助ドア４５５は、シェルター内に閉じ込められた人が独自にあるいは救出人により救出される際に活用される。補助ドア４５５は強化ポリカーボネートを使用してもよい。前記補助ドア４５５には、ジャッキを付属すれば自ら逃げ出したり救出される場合の一助にすることができる。
尚、シェルター内面には、図２６に示すように、上下および内周３面にそれぞれ緩衝材（クッション）４５６が取り付けられている。前面の緩衝材４５６はドア４４９の内面に貼り付けられている。この緩衝材４５６の外側には、図２６の右欄に示すように強化型の内張メッシュ４５７をシェルター枠体側に固定される形で張り付けてもよい。メッシュ４５７はシェルター枠体の外面にも張ってもよい。【００３２】  このシェルターは、土石流などの心配な家屋内に設置され、土石流が発生するおそれがある場合、ドア４４９によりシェルター内に避難すればこのシェルターが土石流で転がったり土石水が入ろうとしても強化した枠体および内部の緩衝材の存在により完全に阻止される。そして、土石流が治まった時点で補助ドア４５５を開けて脱出することができ、また救出隊によっても元気な形で救出される。【００３３】  図２７は、地震時家屋倒壊対策だけでなく前記のような土石流や土砂崩れにも対応できるベッド内装可能型シェルターに関するものである。尚、同図は内面全体に張り付けられる内張り緩衝材を図示省略してある。その貼り付け状態は図２６に断面図として示すものと同様であり図２６の右欄図のように強化メッシュを張ることもできるものである。同シェルターは、幅１．５ｍ×長さ２．２ｍで高さが１．５ｍの直方枠体をしたものである。【００３４】４６０は主柱で、金属製のアングル材であるが、丸や角パイプなどでもよい。この主柱４６０は外周に４本配備され、これらの上端および下端間は、同じくアングル材で平面四角枠に形成した上枠４６１、下枠４６２が一体化されるとともに、これら枠４６１，４６２内には複数本で平行な（あるいは十字形をした）内連結材４６３が一体に設けられている。
尚、前記主柱４６０の内側には、図９に示すような補強支柱２６５を溶接一体化してもよい。【００３５】  シェルターのＬ方向である前後方向の端面内には、横連結材４６４が設けられ、それにより区画された上下の枠内にはブレースでなる補強斜材４６５が交差状に設けられている。シェルターのＷ方向である左右の側面には、縦連結材４６６が設けられ、そのうち避難出入り口側である左側では、２本の縦連結材４６６が設けられるとともにその前後には横連結材４６４と補強斜材４６５が構築一体化され、２本の縦連結材４６６間には、ヒンジ４６７で開閉自在に支持されたドア４６８が嵌め込まれてノブ４６９で開閉・ロック操作可能とされている。４７０は土石流などで埋められた際に自ら逃げ出したり救出を受けたりする際に活用される補助ドアである。この補助ドア４７０には、ジャッキを付属すれば自ら逃げ出したり救出される場合の一助にすることができる。【００３６】  シェルターの右側面は縦連結材４６６と横連結材４６４および補強斜材４６５で構築されている。
尚、シェルター内には、図示しないベッドが設置されるが、その設置のため、シェルターの一部あるいは全体を現場組立可能な構造とすることがある。上下および内周４面にそれぞれ緩衝材（クッション）が取り付けられている。この緩衝材の外側には、図２６の右欄に示すように内張メッシュ４５７をシェルター枠体側に固定される形で張り付けてもよい。メッシュ４５７はシェルター枠体の外面に張ってもよい。【００３７】  このベッド設置用のシェルターは、土石流などの心配な家屋内に設置され、土石流が発生するおそれがある場合、ドア４６８によりシェルター内に避難すればこのシェルターが土石流で転がったり土石水が入ろうとしても強化した枠体および内部の緩衝材の存在により完全に阻止される。そして、土石流災害が治まった時点で補助ドア４７０を開けて脱出したりまた救出隊による救出が簡易・確実化する。尚、図２５ないし図２７に示す提案例においては、シェルター内部に這い出しや救助まで生命を維持するための必要備品（食料・飲料・酸素ボンベ・救急医薬品・這い出し援助器具など）を常備しておくことができる。
【図面の簡単な説明】
【００３８】
【図１】  本発明の一実施形態を示す防護装置の斜視図。
【図２】  図１の合体部分の拡大断面図。
【図３】  図１の底板部同士の結合方法を示す断面図。
【図４】  他の実施形態を示す防護装置の斜視図。
【図５】  他の実施形態を示す防護装置の斜視図。
【図６】  他の実施形態を示す防護装置の斜視図。
【図７】  シェルターについての他の実施形態を示す斜視図。
【図８】  シェルターについての他の実施形態を示す斜視図。
【図９】  防護装置についての他の実施形態を示す図１０のＨ−Ｈ線断面図。
【図１０】  図９の正面図。
【図１１】  他の実施形態を示す生徒用机・椅子についての防護方式を示す側面図。
【図１２】  他の実施形態を示す生徒用机・椅子についての防護方式を示す側面図。
【図１３】  他の実施形態を示す斜視図。
【図１４】  他の実施形態を示す斜視図。
【図１５】  付加的な提案例を示す説明図。
【図１６】  他の実施形態を示す説明図。
【図１７】  土砂災害対策の一提案例を示す説明図。
【図１８】  図１７により作られた杭を災害のおそれがある個所へ打ち込む様子を示す断面図。
【図１９】  他の提案例を示す側断面図。
【図２０】  他の提案例を示す側断面図。
【図２１】  車両を水害から護るための他の実施形態を示す説明図。
【図２２】  同じく車両を水害から護るための他の実施形態を示す横断平面図。
【図２３】  図２２の側面図。
【図２４】  図２３の縦断背面図。
【図２５】  土砂災害対策用の避難シェルターを示す斜視図。
【図２６】  図２５の横断平面図。
【図２７】  土砂災害対策用のベッド内装型シェルターを示す斜視図。
【符号の説明】
【００３９】  ２００，２２０，２３３…フレーム本体  ２０１，２２１…底板部  ２０２，２２２…側板部  ２０３，２２３…端板部  ２０４，２２４…天板部  ２０５…連結板部  ２０６…止着具  ２０７…補強リブ  ２０８…側面開口  ２０９…端面開口  ２１０…接合板  ２１１…止着具  ２１２…和寝具  ２１３…上補強材  ２１５…ベッド  ２１６…前・後立板  ２２６…中間底板部。
【図１】
0005232997.tif 000002
【図２】
0005232997.tif 000003
【図３】
0005232997.tif 000004
【図４】
0005232997.tif 000005
【図５】
0005232997.tif 000006
【図６】
0005232997.tif 000007
【図７】
0005232997.tif 000008
【図８】
0005232997.tif 000009
【図９】
0005232997.tif 000010
【図１０】
0005232997.tif 000011
【図１１】
0005232997.tif 000012
【図１２】
0005232997.tif 000013
【図１３】
0005232997.tif 000014
【図１４】
0005232997.tif 000015
【図１５】
0005232997.tif 000016
【図１６】
0005232997.tif 000017
【図１７】
0005232997.tif 000018
【図１８】
0005232997.tif 000019
【図１９】
0005232997.tif 000020
【図２０】
0005232997.tif 000021
【図２１】
0005232997.tif 000022
【図２２】
0005232997.tif 000023
【図２３】
0005232997.tif 000024
【図２４】
0005232997.tif 000025
【図２５】
0005232997.tif 000026
【図２６】
0005232997.tif 000027
【図２７】
0005232997.tif 000028